(57)【要約】【課題】バスバと、前記バスバ上に実装された電子部品と、前記電子部品の熱を放熱する放熱手段とを備えた電子ユニットにおいて、部品点数を削減すると共にバスバと放熱手段との接着作業を無くすことで低コスト化および製造時間の短縮化を図れる電子ユニットを提供する。【解決手段】この電子ユニット１は、バスバ３と、バスバ３上に実装された電子部品５と、バスバ３に一体形成された放熱フィン（電子部品５の熱を放熱する放熱手段）７と、放熱フィン７を露出する様に各構成要素３，５，７を収容配設したケース９と、放熱フィン７の露出部分を覆う保護カバー１１とを備える。【選択図】図１
2006135239.tif 000002
【特許請求の範囲】
【請求項１】
バスバと、前記バスバ上に実装された電子部品と、前記電子部品の熱を放熱する放熱手段とを備えた電子ユニットにおいて、
前記放熱手段が、前記バスバに一体形成された放熱フィンとして構成されることを特徴とする電子ユニット。
【請求項２】
前記バスバおよび前記電子部品を収容配設するケースを備え、
前記放熱フィンは、少なくともその一部分が前記ケースの外側に露出する様に前記ケース内に収容配設されることを特徴とする請求項１に記載の電子ユニット。
【請求項３】
通風孔を有する様に形成され、前記放熱フィンの露出部分を覆う様に前記ケースに配設された保護カバーを備えることを特徴とする請求項１または請求項２に記載の電子ユニット。
【発明の詳細な説明】
【技術分野】
【０００１】
本発明は、バスバと、前記バスバ上に実装された電子部品と、前記電子部品の熱を放熱する放熱手段とを備えた電子ユニットに関する。
【背景技術】
【０００２】
この種の従来の電子ユニット１００は、図４の様に、バスバ１０３と、バスバ１０３上に実装された電子部品（例えばリレー）１０５と、バスバ１０３の下面に接着材１０４で接着された放熱板１０７と、放熱板１０７のフィン部１０７ａを露出する様にして各構成要素１０３，１０５，１０７を収容配設したケース１０９とを備えて主構成される。この構成の下では、電子部品１０５の熱は、電子部品１０５のリード１０５ａおよびバスバ１０３を介して放熱板１０７に伝達して放熱板１０７のフィン部１０７ａから外気中に放熱される。
【０００３】
この種の電子ユニットに関する先行技術として特許文献１に開示されたものがある。
【０００４】
【特許文献１】特開２００２−２７１９４４号公報
【発明の開示】
【発明が解決しようとする課題】
【０００５】
上記の従来の電子ユニット１００では、放熱板１０７とバスバ１０３とが別々に構成されて互いに接着材１０４で接着されるので、部品点数が多くなりコスト高となるという欠点があった。
【０００６】
また、接着材１０４を用いるので、接着材１０４の硬化に時間を要する分、製造時間が掛かるという欠点があった。
【０００７】
そこで、この発明の課題は、バスバと、前記バスバ上に実装された電子部品と、前記電子部品の熱を放熱する放熱手段とを備えた電子ユニットにおいて、部品点数を削減すると共にバスバと放熱手段との接着作業を無くすことで低コスト化および製造時間の短縮化を図れる電子ユニットを提供することにある。
【課題を解決するための手段】
【０００８】
上記課題を解決する為に、請求項１に記載の発明は、バスバと、前記バスバ上に実装された電子部品と、前記電子部品の熱を放熱する放熱手段とを備えた電子ユニットにおいて、前記放熱手段が、前記バスバに一体形成された放熱フィンとして構成されるものである。
【０００９】
請求項２に記載の発明は、前記バスバおよび前記電子部品を収容配設するケースを備え、前記放熱フィンは、少なくともその一部分が前記ケースの外側に露出する様に前記ケース内に収容配設されるものである。
【００１０】
請求項３に記載の発明は、通風孔を有する様に形成され、前記放熱フィンの露出部分を覆う様に前記ケースに配設された保護カバーを備えるものである。
【発明の効果】
【００１１】
請求項１に記載の発明によれば、放熱手段がバスバに一体形成された放熱フィンとして構成されるので、部品点数を削減できると共にバスバと放熱手段との接着作業を無くすことができ、低コスト化および製造時間の短縮化を図れる。
【００１２】
請求項２に記載の発明によれば、放熱フィンの少なくとも一部分がケースの外側に露出するので、放熱フィンから大気中に熱を効率良く放熱できる。
【００１３】
請求項３に記載の発明によれば、通風孔を有する保護カバーにより放熱フィンの露出部分が覆われるので、放熱フィンの放熱性を損なうこと無く、放熱フィンと周辺部材との接触を防止できて放熱フィンの短絡を防止できる。
【発明を実施するための最良の形態】
【００１４】
この実施の形態に係る電子ユニット１は、図１および図２の様に、バスバ３と、バスバ３上に実装された電子部品（例えばリレー）５と、バスバ３に一体形成された放熱フィン（電子部品５の熱を放熱する放熱手段）７と、放熱フィン７を露出する様に各構成要素３，５，７を収容配設したケース９と、放熱フィン７の露出部分を覆う保護カバー１１とを備える。
【００１５】
この電子ユニット１は、例えば、車両に搭載されるリレーボック等の電気接続箱として用いられる。
【００１６】
バスバ３は、細長板状に形成された配線部材であり、電子部品５の各リード５毎に備えられている。各バスバ３は、その一端部３ｓが電子部品５の対応するリード５にハンダ付けまたは溶接により接続され、その中間部３ｔが例えばケース９の底部９ｃ内に配策され、その他端部３ｕが外部コネクタ（図示省略）との接続用のコネクタ端子として所定位置に配置される。ここでは、電子部品５の入力側の各リード５ａに接続された各バスバ３ａの他端部３ｕは、ケース９の後述の一側のコネクタハウジング部９ａ内に露出されて並列配置され、電子部品５の出力側の各リード５ｂに接続された各バスバ３ｂの他端部３ｕは、ケース９の後述の他側のコネクタハウジング部９ｂ内に露出されて並列配置されている。
【００１７】
放熱フィン７は、例えば図１〜図３の様に、細長板状に形成されており、各バスバ３の中間部３ｔにおいて当該中間部３ｔの長手方向に渡って互いに間隔を空けて並列配置し且つそれぞれ当該中間部３ｔの下面側（電子部品５の実装面と反対側の面側）に突出する様に複数形成される。ここでは、放熱フィン７は、各バスバ３の中間部３ｔの両側面において当該中間部３ｔの長手方向に渡って互い違いに並列配置し、且つそれぞれ当該中間部３ｔの側面から張り出した状態（ここでは各放熱フィン７の横幅ｘ１方向と当該中間部３ｔの横幅ｘ２方向が一致する様に当該中間部３ｔの側面から張り出した状態）で当該中間部３ｔの下面側に突出する様に複数形成される。
【００１８】
尚、上記の様に、放熱フィン７を、各バスバ３の中間部３ｔにおいて互い違いに並列配置させ、且つそれぞれ当該中間部３ｔの側面から張り出した状態で当該中間部３ｔの下面側に突出する様に複数形成することで、各放熱フィン７の間隔を確保して（即ち通風性を確保して）多数の放熱フィン７を形成している。
【００１９】
この放熱フィン７は、例えば、銅板等の導電性平板材からバスバ３と一体的に打ち抜かれて折り曲げ加工等により加工されて形成される。
【００２０】
ケース９は、例えば樹脂により上面開放の箱状に形成される。このケース９の対向する一対の側壁部内にはそれぞれ、上面開放のコネクタハウジング部９ａ，９ｂが一体形成されている。このケース９には、その底部９ｃ内に各バスバ３の中間部３ｔが埋設（インサートモールド）され、その底部９ｃの下面から各放熱フィン７が突出状に露出され、その底部９ｃ上に電子部品５が露出配置され、その一方のコネクタハウジング部９ａの底部上に入力側コネクタ端子として機能する各バスバ３ａの他端部３ｕが立設状に露出配置され、その他方のコネクタハウジング部９ｂの底部上に出力側コネクタ端子として機能する各バスバ３ｂの他端部３ｕが立設状に露出配置される。ここでは、ケース９のコネクタハウジング部９ａと各バスバ３ａの他端部３ｕとにより入力コネクタが構成され、ケース９のコネクタハウジング部９ｂと各バスバ３ｂの他端部３ｕとにより出力コネクタが構成されている。
【００２１】
保護カバー１１は、例えば樹脂により上面開放の箱状のモールドカバーとして形成される。この保護カバー１１の底部または周壁部には、例えばスリット状または穴状の通風孔（図示省略）が形成される。この保護カバー１１は、各放熱フィン７を覆う様にして、その開口部（開放上面）１１ａがケース９の下部に密嵌されて配設される。
【００２２】
この様に構成された電子ユニット１では、電子部品５の熱は、電子部品５の各リード５および各バスバ３を介して各放熱フィン７に伝達して各放熱フィン７から外気中に放熱される。
【００２３】
以上の様に構成された電子ユニット１によれば、放熱手段がバスバ３に一体形成された放熱フィン７として構成されるので、部品点数を削減できると共にバスバ３と放熱手段との接着作業を無くすことができ、低コスト化および製造時間の短縮化を図れる。
【００２４】
また、放熱フィン７の少なくとも一部分がケース９の外側に露出するので、放熱フィン７から大気中に熱を効率良く放熱できる。
【００２５】
また、通風孔を有する保護カバー１１により放熱フィン７の露出部分が覆われるので、放熱フィン７の放熱性を損なうこと無く、放熱フィン７と周辺部材との接触を防止できて放熱フィン７の短絡を防止できる。
【００２６】
尚、この実施の形態では、放熱フィン７をケース９から突出する様に露出させたが、ケース９の表面に這わす様に露出させてもよい。この様にすれば、電子ユニット１の小型化に寄与できる。
【図面の簡単な説明】
【００２７】
【図１】本発明の実施の形態に係る電子ユニットの平面視図である。
【図２】図１のII-II断面図である。
【図３】本発明の実施の形態における放熱フィンの一体形成されたバスバの部分斜視図である。
【図４】従来例に係る電子ユニットの断面図である。
【符号の説明】
【００２８】
１  電子ユニット
３，３ａ，３ｂ  バスバ
３ｓ  一端部
３ｔ  中間部
３ｕ  他端部
５  電子部品
５，５ａ，５ｂ  リード
７  放熱フィン
９  ケース
９ａ，９ｂ  コネクタハウジング部
９ｃ  底部
１１  保護カバー
【図１】
2006135239.tif 000003
【図２】
2006135239.tif 000004
【図３】
2006135239.tif 000005
【図４】
2006135239.tif 000006